(57)【要約】【目的】  高速記録の際に照射時間と冷却時間の時間分解能を上げることなく、正確な記録マークの形成を行い、特に高精度に記録マークの前エッジ位置を制御できるようにする。【構成】  同図の（ｆ−１）に示す付加信号ＭｏｄＯを、オーバーシュート電流の付加時間（Ｔｏ１，Ｔｏ２，Ｔｏ３）だけハイになるように生成し、オーバーシュート電流Ｉｏｓが生成されてＬＤ駆動電流に加算される。同様にして、同図の（ｆ−２）に示す付加信号ＭｏｄＵを、アンダーシュート電流の付加時間（Ｔｕ１，Ｔｕ２，Ｔｕ３）だけハイになるように生成し、アンダーシュート電流Ｉｕｓが生成されてＬＤ駆動電流から減算される。つまり、加熱パルスの立ち上がり時に付加パワーが加算され、加熱パルスの立ち下がり時に（冷却パルスの先頭に）付加パワー分減算された光波形になる。【選択図】        図２
2005339661.tif 000002
【特許請求の範囲】
【請求項１】
光源を記録データに基づいて所定の光強度で発光させて複数のパルス列の光を発生させ、その発生させた光を記録媒体に照射して前記記録データに対応する記録マークを形成する光情報記録装置において、
前記パルス列の先頭パルスの立ち上り前の所定時間，所定値の付加電流を生成する付加電流生成手段と、該付加電流生成手段によって生成された付加電流の付加時間を設定する付加時間設定手段と、前記付加電流生成手段によって生成された付加電流を前記付加時間設定手段によって設定された付加時間だけ前記光源の駆動電流に加算する加算手段とを設けたことを特徴とする光情報記録装置。
【請求項２】
光源を記録データに基づいて所定の光強度で発光させて複数のパルス列の光を発生させ、その発生させた光を記録媒体に照射して前記記録データに対応する記録マークを形成する光情報記録装置において、
前記パルス列の先頭パルスの立ち上り前から立ち上り後までの所定時間及び前記パルス列の残りのパルスの内０または少なくとも一部のパルスの立ち上り近傍後に所定時間，所定値の第一の付加電流を生成する第一の付加電流生成手段と、前記パルス列の少なくとも一部のパルスの立ち下がり近傍後の所定時間，所定値の第二の付加電流を生成する第二の付加電流生成手段と、前記第一の付加電流生成手段によって生成された第一の付加電流と前記第二の付加電流生成手段によって生成された第二の付加電流の付加時間を設定する付加時間設定手段と、前記第一の付加電流生成手段によって生成された第一の付加電流を前記付加時間設定手段によって設定された付加時間だけ前記光源の駆動電流に加算し、前記第二の付加電流生成手段によって生成された第二の付加電流を前記付加時間設定手段によって設定された付加時間だけ前記光源の駆動電流から減算する加減算手段とを設けたことを特徴とする光情報記録装置。
【請求項３】
光源を記録データに基づいて所定の光強度で発光させて複数のパルス列の光を発生させ、その発生させた光を記録媒体に照射して前記記録データに対応する記録マークを形成する光情報記録装置において、
前記パルス列の少なくとも一部のパルスの立ち上り近傍後に所定時間，所定値の第一の付加電流を生成する第一の付加電流生成手段と、前記パルス列の少なくとも一部のパルスの立ち下がり近傍後の所定時間，所定値の第二の付加電流を生成する第二の付加電流生成手段と、前記パルス列の先頭パルスの立ち上り前の所定時間，所定値の第三の付加電流を生成する第三の付加電流生成手段と、前記第一の付加電流生成手段によって生成された第一の付加電流と前記第二の付加電流生成手段によって生成された第二の付加電流と前記第三の付加電流生成手段によって生成された第三の付加電流の付加時間を設定する付加時間設定手段と、前記第一の付加電流生成手段によって生成された第一の付加電流及び前記第三の付加電流生成手段によって生成された第三の付加電流を前記付加時間設定手段によって設定された付加時間だけ前記光源の駆動電流に加算し、前記第二の付加電流生成手段によって生成された第二の付加電流を前記付加時間設定手段によって設定された付加時間だけ前記光源の駆動電流から減算する加減算手段とを設けたことを特徴とする光情報記録装置。
【請求項４】
請求項１乃至３のいずれか一項に記載の光情報記録装置において、
前記付加時間設定手段は、前記パルス列のうち先頭パルスに付加する付加時間と、最終パルスに付加する付加時間と、それ以外の中間パルスに付加する付加時間とをそれぞれ設定する手段であることを特徴とする光情報記録装置。
【請求項５】
請求項１乃至４のいずれか一項に記載の光情報記録装置において、
前記付加時間設定手段は、前記付加時間を当該記録マークの前後の情報の長さに基づいて設定する手段であることを特徴とする光情報記録装置。
【請求項６】
請求項１乃至５のいずれか一項に記載の光情報記録装置において、
前記付加時間設定手段は、前記付加時間を記録線速度に基づいて設定する手段であることを特徴とする光情報記録装置。
【請求項７】
光源を記録データに基づいて所定の光強度で発光させて複数のパルス列の光を発生させ、その発生させた光を記録媒体に照射して前記記録データに対応する記録マークを形成する光情報記録方法において、
前記パルス列の先頭パルスの立ち上り前の所定時間，所定パワーの付加パルスを付加し、その付加パルスのパルス幅を調整することによって前記記録マークの形成を制御することを特徴とする光情報記録方法。
【請求項８】
光源を記録データに基づいて所定の光強度で発光させて複数のパルス列の光を発生させ、その発生させた光を記録媒体に照射して前記記録データに対応する記録マークを形成する光情報記録方法において、
前記パルス列の先頭パルスの立ち上り前から立ち上り後までの所定時間及び前記パルス列の残りのパルスの内０または少なくとも一部のパルスの立ち上り近傍後に所定時間，所定パワーの第一の付加パルスを付加し、前記パルス列の少なくとも一部のパルスの立ち下がり近傍後に所定パワーの第二の付加パルスを所定時間付加し、前記第一の付加パルス及び第二の付加パルスのパルス幅を調整することによって前記記録マークの形成を制御することを特徴とする光情報記録方法。
【請求項９】
光源を記録データに基づいて所定の光強度で発光させて複数のパルス列の光を発生させ、その発生させた光を記録媒体に照射して前記記録データに対応する記録マークを形成する光情報記録方法において、
前記パルス列の少なくとも一部のパルスの立ち上り近傍後に所定時間，所定パワーの第一の付加パルスを付加し、前記パルス列の少なくとも一部のパルスの立ち下がり近傍後に所定パワーの第二の付加パルスを所定時間付加し、前記パルス列の先頭パルスの立ち上り前の所定時間，所定パワーの第三の付加パルスを付加し、前記第一の付加パルス，第二の付加パルス及び第三の付加パルスのパルス幅を調整することによって前記記録マークの形成を制御することを特徴とする光情報記録方法。
【請求項１０】
請求項７乃至９のいずれか一項に記載の光情報記録方法において、
前記パルス列のうち、先頭パルスに付加するパルス幅と、最終パルスに付加するパルス幅と、それ以外の中間パルスに付加するパルス幅とをそれぞれ設定することを特徴とする光情報記録方法。
【請求項１１】
請求項７乃至１０のいずれか一項に記載の光情報記録方法において、
前記付加パルスのパルス幅を当該記録マークの前後の情報の長さに基づいて設定することを特徴とする光情報記録方法。
【請求項１２】
請求項７乃至１１のいずれか一項に記載の光情報記録方法において、
記録線速度に応じて前記付加パルスのパルス幅を設定することを特徴とする光情報記録方法。
【発明の詳細な説明】
【技術分野】
【０００１】
この発明は、ＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置，ＤＶＤ−ＲＡＭドライブ装置などの情報記録装置に搭載される光源駆動装置等の光情報記録装置と、その光情報記録装置における光情報記録方法とに関する。
【背景技術】
【０００２】
従来より、光ディスク装置においては、光源である半導体レーザ（Ｌａｓｅｒ  Ｄｉｏｄｅ：ＬＤ）を変調した光を記録媒体（光ディスク）に照射して記録を行っている。
例えば、ＣＤ−ＲＷディスクやＤＶＤ＋ＲＷディスクなどに代表される相変化型の光ディスクでは、媒体を融点以上まで昇温させて、その媒体の持つ結晶化時間を超えないように急冷することにより、アモルファス状態、つまり記録マークを形成する。
したがって、正確にマーク形状や位置制御を行うためには、媒体への照射エネルギー，時間を正確に制御しなければならず、正確な光波形を生成し、正確なエネルギー照射をする必要がある。
【０００３】
高速記録においては、光波形の立ち上がり／立ち下がり特性は特に重要な項目となる。また、ＣＤ−ＲディスクやＤＶＤ＋Ｒディスクなどに代表される色素系追記型の光ディスクでは、光照射による熱分解やそれに伴う基板変形による光学的変化を生じさせることにより記録マークを形成する。
したがって、このような色素系追記型の光ディスクも同様に、正確にマーク形状や位置制御を行うためには、正確な光波形を生成する必要がある。
また、ＭＯやＭＤなどに代表される光磁気媒体でも、キュリー点近傍での磁化の反転を利用しており、同様である。
すなわち、いずれの記録媒体においても記録層に光を照射することによって所定の臨界温度以上に昇温させて、物理的または化学的変化をさせて記録データの記録を行っている。
そのため、記録媒体への照射エネルギー、つまり照射パワー及び照射時間を正確に制御することが重要になる。
【０００４】
また、ＣＤやＤＶＤなどの多くの光ディスクの記録方法においては、高密度化に適したマークの長さが情報を担うマークエッジ記録が採用されており、正確にデータを再生するためにはマークの形状やエッジ位置の正確な制御が必要となっている。
さらには、マーク長が異なっても一様にマーク形状を整えるため、複数の記録パルスに分割したパルス列で記録マークを形成するマルチパルス記録方法が広く用いられている。
すなわち、加熱，冷却のサイクルを繰り返してマークを繋げて形成することによって一様な長さの記録マークを形成するものである。この方法は色素系追記型の記録媒体でも適用されている。
【０００５】
以下の説明では、記録媒体を昇温させるための高パワーでの照射を行うパルスを加熱パルスと称し、温度上昇をさせないように（急冷させるように）低パワーでの照射を行うパルスを冷却パルスと称する。
このため、従来の光情報記録装置では、照射光の時間分解能を向上させて、マーク位置制御を行っている。例えば、相変化型媒体では照射エネルギーの精度と共に急冷を行うための冷却時間の精度も必要となり、照射時間及び冷却時間を補正するようにして記録している（例えば、特許文献１参照）。
【０００６】
【特許文献１】特開平８−２８７４６５号公報
【発明の開示】
【発明が解決しようとする課題】
【０００７】
しかしながら、近年の高速記録化の要求に伴い、高速な光変調が求められており、記録品質を保ったまま高速記録化するには照射時間及び冷却時間の時間分解能をより向上させなければならない。
例えば、従来の方法でＤＶＤ１０倍速記録をするには、約１００ｐｓもの分解能が必要とされる。
従って、従来の方法で高速記録化を行うには、実現が困難であったり、大幅なコストアップを招いてしまう。
また、以下に説明するように、照射光の光波形の立ち上がり／立ち下がりの遅れ（なまり）により、適正な加熱・冷却が行われず、マーク形状やマークの位置の精度が損なわれるという問題もある。
【０００８】
そこで、パルス列の少なくとも一部のパルスの立ち上り近傍後に所定パワーのパルスを所定時間付加し、その付加したパルスのパルス幅を調整することによって記録マークの形成を制御すると、パルス幅分解能を向上させることなく、照射エネルギーの分解能を向上させることができ、精度よいマーク形成制御を可能にする。
しかしながら、更なる記録マークの高精度形成の要求に対しては、不十分な面が生じてくる場合がある。
特に、記録マークの前エッジ位置制御は記録特性に重大な影響を与えるため、より高精度な照射エネルギー制御をし、記録媒体に与える熱量を制御する必要がある。
この発明は上記の点に鑑みてなされたものであり、高速記録の際にも、照射時間及び冷却時間の時間分解能を上げることなく、正確な記録マークの形成を行い、特に高精度に記録マークの前エッジ位置を制御できるようにすることを目的とする。
【課題を解決するための手段】
【０００９】
この発明は上記の目的を達成するため、次の（１）〜（６）の各光情報記録装置を提供する。
（１）光源を記録データに基づいて所定の光強度で発光させて複数のパルス列の光を発生させ、その発生させた光を記録媒体に照射して上記記録データに対応する記録マークを形成する光情報記録装置において、上記パルス列の先頭パルスの立ち上り前の所定時間，所定値の付加電流を生成する付加電流生成手段と、その付加電流生成手段によって生成された付加電流の付加時間を設定する付加時間設定手段と、上記付加電流生成手段によって生成された付加電流を上記付加時間設定手段によって設定された付加時間だけ上記光源の駆動電流に加算する加算手段を設けた光情報記録装置。
【００１０】
（２）光源を記録データに基づいて所定の光強度で発光させて複数のパルス列の光を発生させ、その発生させた光を記録媒体に照射して上記記録データに対応する記録マークを形成する光情報記録装置において、上記パルス列の先頭パルスの立ち上り前から立ち上り後までの所定時間及び上記パルス列の残りのパルスの内０または少なくとも一部のパルスの立ち上り近傍後に所定時間，所定値の第一の付加電流を生成する第一の付加電流生成手段と、上記パルス列の少なくとも一部のパルスの立ち下がり近傍後の所定時間，所定値の第二の付加電流を生成する第二の付加電流生成手段と、上記第一の付加電流生成手段によって生成された第一の付加電流と上記第二の付加電流生成手段によって生成された第二の付加電流の付加時間を設定する付加時間設定手段と、上記第一の付加電流生成手段によって生成された第一の付加電流を上記付加時間設定手段によって設定された付加時間だけ上記光源の駆動電流に加算し、上記第二の付加電流生成手段によって生成された第二の付加電流を上記付加時間設定手段によって設定された付加時間だけ上記光源の駆動電流から減算する加減算手段を設けた光情報記録装置。
【００１１】
（３）光源を記録データに基づいて所定の光強度で発光させて複数のパルス列の光を発生させ、その発生させた光を記録媒体に照射して上記記録データに対応する記録マークを形成する光情報記録装置において、上記パルス列の少なくとも一部のパルスの立ち上り近傍後に所定時間，所定値の第一の付加電流を生成する第一の付加電流生成手段と、上記パルス列の少なくとも一部のパルスの立ち下がり近傍後の所定時間，所定値の第二の付加電流を生成する第二の付加電流生成手段と、上記パルス列の先頭パルスの立ち上り前の所定時間，所定値の第三の付加電流を生成する第三の付加電流生成手段と、上記第一の付加電流生成手段によって生成された第一の付加電流と上記第二の付加電流生成手段によって生成された第二の付加電流と上記第三の付加電流生成手段によって生成された第三の付加電流の付加時間を設定する付加時間設定手段と、上記第一の付加電流生成手段によって生成された第一の付加電流及び上記第三の付加電流生成手段によって生成された第三の付加電流を上記付加時間設定手段によって設定された付加時間だけ上記光源の駆動電流に加算し、上記第二の付加電流生成手段によって生成された第二の付加電流を上記付加時間設定手段によって設定された付加時間だけ上記光源の駆動電流から減算する加減算手段を設けた光情報記録装置。
【００１２】
（４）上記（１）〜（３）のいずれかの光情報記録装置において、上記付加時間設定手段は、上記パルス列のうち先頭パルスに付加する付加時間と、最終パルスに付加する付加時間と、それ以外の中間パルスに付加する付加時間とをそれぞれ設定する手段である光情報記録装置。
（５）上記（１）〜（４）のいずれかの光情報記録装置において、上記付加時間設定手段は、上記付加時間を当該記録マークの前後の情報の長さに基づいて設定する手段である光情報記録装置。
（６）上記（１）〜（５）のいずれかの光情報記録装置において、上記付加時間設定手段は、上記付加時間を記録線速度に基づいて設定する手段である光情報記録装置。
【００１３】
さらに、次の（７）〜（１２）の各光情報記録方法も提供する。
（７）光源を記録データに基づいて所定の光強度で発光させて複数のパルス列の光を発生させ、その発生させた光を記録媒体に照射して上記記録データに対応する記録マークを形成する光情報記録方法において、上記パルス列の先頭パルスの立ち上り前の所定時間，所定パワーの付加パルスを付加し、その付加パルスのパルス幅を調整することによって上記記録マークの形成を制御する光情報記録方法。
【００１４】
（８）光源を記録データに基づいて所定の光強度で発光させて複数のパルス列の光を発生させ、その発生させた光を記録媒体に照射して上記記録データに対応する記録マークを形成する光情報記録方法において、上記パルス列の先頭パルスの立ち上り前から立ち上り後までの所定時間及び上記パルス列の残りのパルスの内０または少なくとも一部のパルスの立ち上り近傍後に所定時間，所定パワーの第一の付加パルスを付加し、上記パルス列の少なくとも一部のパルスの立ち下がり近傍後に所定パワーの第二の付加パルスを所定時間付加し、上記第一の付加パルス及び第二の付加パルスのパルス幅を調整することによって上記記録マークの形成を制御する光情報記録方法。
【００１５】
（９）光源を記録データに基づいて所定の光強度で発光させて複数のパルス列の光を発生させ、その発生させた光を記録媒体に照射して上記記録データに対応する記録マークを形成する光情報記録方法において、上記パルス列の少なくとも一部のパルスの立ち上り近傍後に所定時間，所定パワーの第一の付加パルスを付加し、上記パルス列の少なくとも一部のパルスの立ち下がり近傍後に所定パワーの第二の付加パルスを所定時間付加し、上記パルス列の先頭パルスの立ち上り前の所定時間，所定パワーの第三の付加パルスを付加し、上記第一の付加パルス，第二の付加パルス及び第三の付加パルスのパルス幅を調整することによって上記記録マークの形成を制御する光情報記録方法。
【００１６】
（１０）上記（７）〜（９）のいずれかの光情報記録方法において、上記パルス列のうち、先頭パルスに付加するパルス幅と、最終パルスに付加するパルス幅と、それ以外の中間パルスに付加するパルス幅とをそれぞれ設定する光情報記録方法。
（１１）上記（７）〜（１０）のいずれかの光情報記録方法において、上記付加パルスのパルス幅を当該記録マークの前後の情報の長さに基づいて設定する光情報記録方法。
（１２）上記（７）〜（１１）のいずれかの光情報記録方法において、記録線速度に応じて上記付加パルスのパルス幅を設定する光情報記録方法。
【発明の効果】
【００１７】
この発明による光情報記録装置と光情報記録方法は、高速記録の際にも照射時間及び冷却時間の時間分解能を上げることなく、正確な記録マークの形成を行い、特に高精度に記録マークの前エッジ位置を制御することができる。
【発明を実施するための最良の形態】
【００１８】
以下、この発明を実施するための最良の形態を図面に基づいて具体的に説明する。
〔第１実施例〕
図１は本発明の光情報記録装置の第１実施例である光源駆動装置の構成を示すブロック図である。
図２は図１に示す光源駆動装置の各部信号の波形図の一例であり、第１実施例の光源駆動装置におけるこの発明に係る光情報記録方法を説明する図である。
図１の光源駆動部１は、光源であるレーザダイオード（ＬＤ）の照射レベルＰ０，Ｐ１，Ｐ２を設定する照射レベル設定部２と、記録データ信号Ｗｄａｔａと記録クロック信号ＷＣＫとからＬＤの変調信号Ｍｏｄ１，Ｍｏｄ２を生成する変調信号生成部４を備えている。
【００１９】
また、ＬＤの照射レベルＰ０，Ｐ１，Ｐ２にそれぞれ対応した照射レベルデータＰ０Ｄａｔａ，Ｐ１Ｄａｔａ，Ｐ２Ｄａｔａ及び変調信号Ｍｏｄ１，Ｍｏｄ２に基づいてＬＤ変調電流Ｉｍｏｄを生成する変調部３と、変調信号生成部４の生成する変調タイミング（変調信号Ｍｏｄ１，Ｍｏｄ２の立ち上がり／立ち下がりタイミングまたはその一部に対応する）に基づいて加熱パルスへの付加パワーを重畳するオーバーシュート電流Ｉｏｓ及び冷却パルスへの付加パワーを重畳するアンダーシュート電流Ｉｕｓを生成する付加電流生成部１８と（以下，Ｉｏｓ及びＩｕｓを付加電流と総称する）、ＬＤの出射光の一部をモニタするモニタ受光部ＰＤからのモニタ受光信号が入力され、そのモニタ受光信号に基づいてＬＤの出射光量が所望の値になるようにバイアス電流Ｉｂｉａｓ及び変調電流のスケールを指示するスケール信号Ｉｓｃｌを制御するＬＤ制御部７を備えている。
【００２０】
さらに、ＬＤ変調電流Ｉｍｏｄとバイアス電流Ｉｂｉａｓとを加算し、さらにオーバーシュート電流Ｉｏｓを加算してアンダーシュート電流Ｉｕｓを減算する加減算部５と、加減算部５から供給される電流ＩＬＤ′を増幅してＬＤの駆動電流ＩＬＤを供給する電流駆動部６と、光源駆動部１が搭載されるＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置，ＤＶＤ−ＲＡＭドライブ装置などの情報記録装置（又は情報記録再生装置）全体を制御するコントローラ１９から供給される制御コマンドを受け各部へ制御信号を供給する制御部１７を備えている。
【００２１】
上記変調部３は、照射レベルデータＰ０Ｄａｔａ，Ｐ１Ｄａｔａ，Ｐ２Ｄａｔａに基づいてそれぞれ電流Ｉ０，Ｉ１，Ｉ２を供給する電流源８と（Ｐ０ＤＡＣ８ａ、Ｐ１ＤＡＣ８ｂ、Ｐ２ＤＡＣ８ｃからなる）、変調信号Ｍｏｄ１，Ｍｏｄ２に従ってそれぞれ電流Ｉ１，Ｉ２をオンオフ制御するスイッチ９ｂ，９ｃからなるスイッチ９と、スイッチ９の出力する各電流を加算してＬＤ変調電流Ｉｍｏｄを供給する加算部１０とから構成される。
【００２２】
また、付加電流生成部１８は、変調信号生成部４の生成する変調タイミングに基づいてオーバーシュート電流Ｉｏｓ及びアンダーシュート電流Ｉｕｓを重畳する期間を指定する付加信号（それぞれＭｏｄＯ，ＭｏｄＵ）を生成する付加信号生成部１１と、オーバーシュート電流Ｉｏｓ及びアンダーシュート電流Ｉｕｓの電流値Ｉ３，Ｉ４を設定し、その設定データＰ３Ｄａｔａ，Ｐ４Ｄａｔａを供給する付加パワー設定部１６と、オーバーシュート電流設定データＰ３Ｄａｔａまたはアンダーシュート電流設定データＰ４Ｄａｔａに基づいてそれぞれ電流Ｉ３，Ｉ４をそれぞれ供給する電流源Ｐ３ＤＡＣ１３ａ，Ｐ４ＤＡＣ１３ｂと、付加信号ＭｏｄＯ，ＭｏｄＵに従ってそれぞれ電流Ｉ３，Ｉ４をオンオフ制御してオーバーシュート電流Ｉｏｓ及びアンダーシュート電流Ｉｕｓを生成するスイッチ１４ａ，１４ｂと、オーバーシュート電流Ｉｏｓ及びアンダーシュート電流Ｉｕｓの付加時間を設定する付加時間設定部１５とから構成される。
【００２３】
なお、ＬＤ制御部７は公知技術を適用すればよいので、その詳細な構成と動作の説明は省略するが、バイアス電流ＩｂｉａｓはほぼＬＤの閾値電流Ｉｔｈになるように制御し、スケール信号ＩｓｃｌはＬＤの微分量子効率に応じて制御する。
【００２４】
図２は、図１の各主要信号の信号波形の一例を示す図である。
ここでは相変化型記録媒体への記録時の場合を例示しており、同図の（ｃ）に示す光波形が所望の光波形であり、その光波形の光の照射により同図の（ｄ）に示す記録マークが形成される。
同図の（ｃ）に示すＰｂ，Ｐｅ，Ｐｗはそれぞれボトムパワーレベル，イレースパワーレベル，ライトパワーレベルの各照射レベルであり、それぞれ電流ＩＬＤ′がＩｂｉａｓ＋Ｉ０，Ｉｂｉａｓ＋Ｉ０＋Ｉ１，Ｉｂｉａｓ＋Ｉ０＋Ｉ２になる照射レベルである。
【００２５】
つまり、照射レベルは電流値Ｉ０，Ｉ１，Ｉ２をそれぞれ設定する照射レベルデータＰ０Ｄａｔａ，Ｐ１Ｄａｔａ，Ｐ２Ｄａｔａにより決められる。
また、Ｐｗ２はライトパワーレベルＰｗにパワー付加した照射レベルであり、パワー付加分（Ｐｗ２−Ｐｗ）はＩ３に相当する。
同様に、Ｐｂ２はボトムパワーレベルＰｂからＩ４に相当するパワー分引いた照射レベルである。
【００２６】
また、同図の（ｃ）に示すプリヒートパワーレベルＰｐは、イレースパワーレベルＰｅにＩ３に相当するパワー分を付加した照射レベルであり、先頭パルスＴＰの照射前に予め加熱することにより、記録媒体の融点に達するまでの時間を早めることができ、つまり、記録マークの前エッジ位置を早めることができ、このプリヒートパワーレベルＰｐ及び付加時間を制御することにより記録マークの前エッジ位置を制御することができる。詳細は後述する。
そして、マルチパルス列のうち、先頭パルスＴＰとその次の冷却パルスにより同図の（ｄ）に示す記録マークの前縁部ａが、最終パルスＬＰとその次の冷却パルスにより同図の（ｄ）に示す記録マークの後縁部ｃが、中間パルスＭＰと次の冷却パルスでそれぞれ同図の（ｄ）に示す中間部ｂ１，ｂ２が形成されて、同図の（ｂ）に示す記録データ信号Ｗｄａｔａに対応するひとつの記録マークができる。
【００２７】
同図の（ｅ−１）に示す変調信号Ｍｏｄ１，同図の（ｅ−２）に示すＭｏｄ２は、変調信号生成部４において予め設定された所望の光波形の変調タイミングを指示する駆動波形情報に基づいて同図の（ｂ）に示す記録データ信号Ｗｄａｔａに対応して生成される。
同図の（ｅ−２）中に示すＴＳＳ，ＴＳＰ，ＴＦＳ，ＴＭＰ，ＴＭＳ，ＴＬＳ，ＴＬＰ，ＴＥＳは駆動波形情報の一例であり、同図の（ｂ）に示す記録データＷｄａｔａの立ち上りを基準として図に示すように順次加算しながら変調信号Ｍｏｄ１，Ｍｏｄ２の変化タイミングを決定する。
同図の（ｆ−１）に示す付加信号ＭｏｄＯは、付加信号生成部１１において変調信号Ｍｏｄ１またはＭｏｄ２の立ち上がりに同期して付加時間設定部１５より指示されるオーバーシュート電流の付加時間（Ｔｏ１，Ｔｏ２，Ｔｏ３）だけ「ハイ（Ｈ）」になるように生成される。
【００２８】
但し、同図の（ｆ−１）に示すように、先頭パルスＴＰへの付加の開始はプリヒートパルス開始タイミングＴｏ０により決定され、付加時間Ｔｏ１の時間だけ「ハイ（Ｈ）」になる。
実際には、例えば、基準位置は記録データＷｄａｔａの立ち上りのｎＴ前（Ｔは記録クロックＷＣＫの周期であり、ｎはｎＴ＞Ｔｏ０となる整数）とし、ＭｏｄＯの最初の立ち上りタイミングを、その基準から（ｎＴ−Ｔｏ０）後とすれば、記録データＷｄａｔａの立ち上りに対して相対的にＴｏ０だけ早めて立ち上げることができる。
付加時間（Ｔｏ１，Ｔｏ２，Ｔｏ３）は、それぞれＴＰ，ＭＰ，ＬＰへの付加時間を示す。これにより、オーバーシュート電流Ｉｏｓが生成されてＬＤ駆動電流に加算される。
【００２９】
同様にして、同図の（ｆ−２）に示す付加信号ＭｏｄＵは、変調信号Ｍｏｄ２の立ち下がりに同期して付加時間設定部１５より指示されるアンダーシュート電流の付加時間（Ｔｕ１，Ｔｕ２，Ｔｕ３）だけ「ハイ（Ｈ）」になるように生成される。これにより、アンダーシュート電流Ｉｕｓが生成されてＬＤ駆動電流から減算される。
これら変調信号及び付加信号に従って駆動電流ＩＬＤが生成され、その駆動電流ＩＬＤに応じた光波形（同図の（ｄ））が得られる。
つまり、加熱パルスの立ち上がり時に付加パワーが加算され、加熱パルスの立ち下がり時に（冷却パルスの先頭に）付加パワー分減算された光波形になる。
【００３０】
図３は、図２で説明した付加パワーを加算した過熱パルスと照射エネルギーの関係を示す波形図である。
同図の（ａ）に示す光波形ａはプリヒート付加パワーΔＰを加算しない場合の波形であり、光波形ｂ，ｃは順次付加パワー幅を増加した波形である。
照射エネルギーは照射パワーを積分した値になるので、各光波形ａ〜ｃに対応する照射エネルギーは同図の（ｂ）に示すようになる。
なお、図３の例では説明の簡便化のため、加熱パルスへの付加パルスを除きプリヒート付加パルスのみ図示している。
上述したように記録マークの形成は照射光による昇温により行われるので、照射エネルギーの分解能を向上させることにより、媒体の熱変化も精度よく制御でき、精度よいマーク形成制御が可能になる。
【００３１】
つまり、第１実施例のように、加熱パルスにプリヒート付加パワーを加算し、この付加パワー幅を調整することにより、パルス幅分解能を向上させることなく、照射エネルギーの分解能を向上させることができ、精度よいマーク形成制御が可能になる。これは、パルス幅分解能の向上が困難な高速記録時により好適に作用する。
さらに、先頭パルスＴＰ，中間パルスＭＰ，最終パルスＬＰに付加する付加信号パルス幅（Ｔｏ１，Ｔｏ２，Ｔｏ３及びＴｕ１，Ｔｕ２，Ｔｕ３）をそれぞれ調整することにより、記録マークの前縁部、中間部、後縁部の形状をそれぞれ精度よく形成でき、一様に精度よい記録マークが形成できる。
【００３２】
ところで、記録媒体によっては熱伝導率が高く、畜熱効果により記録マークの形成に前後の記録マークから熱影響を受けエッジシフトを生じるものがあり、特に色素系追記型記録媒体ではこれが顕著である。
そこで、従来では記録マークの前後のスペース長に応じて、記録パルスのパルス幅の調整を行っている。
しかしながら、上述と同様に、高速記録化の際にはこのパルス幅調整の時間分解能を向上させることは困難である。
この場合に好適な実施例を再び図１と図２に基づいて説明する。上述と同様の動作と機能を果たすものはその説明を省略する。
【００３３】
変調信号生成部４は、入力される記録データ信号Ｗｄａｔａのランレングスを計測し、マーク長Ｍ１，直前のスペース長Ｓ０，直後スペース長Ｓ１を付加時間設定部１５に供給する。同時に変調信号Ｍｏｄ１，Ｍｏｄ２の生成もこのＭ１，Ｓ０，Ｓ１に基づいて生成する。
付加時間設定部１５は、供給されるＭ１，Ｓ０，Ｓ１に対応する付加時間（Ｔｏ１，Ｔｏ２，Ｔｏ３及びＴｕ１，Ｔｕ２，Ｔｕ３）を選択して付加信号生成部１１へ供給する。
【００３４】
このようにすれば、隣接記録マークからの熱影響を考慮して照射エネルギーを調整することができ、より高精度な記録マークを形成することができる。
なお、各付加時間をより影響度の高いランレングスにより補正するようにすると、上述の効果を得た上で、回路の低減ができる。
すなわち、プリヒート付加開始タイミングＴｏ０，先頭パルスＴＰへの付加時間Ｔｏ１，Ｔｕ１を直前スペースＳ０とマーク長Ｍ１に従い設定し、最終パルスＬＰへの付加時間Ｔｏ３，Ｔｕ３をマーク長Ｍ１と直後スペース長Ｓ１に従い設定するようにすればよい。さらには、中間パルスＭＰへの付加時間Ｔｏ２，Ｔｕ２をマーク長Ｍ１に従い設定するようにしてもよい。
さらには、記録線速度が異なると畜熱効果も異なるので、記録線速度に応じて前述の付加時間（Ｔｏ０、Ｔｏ１、Ｔｏ２、Ｔｏ３及びＴｕ１、Ｔｕ２、Ｔｕ３）を設定するようにすればよい。
【００３５】
〔第２実施例〕
第１実施例では、装置の簡便化のため、プリヒート付加パワー（Ｐｐ−Ｐｅ）と加熱パルス付加パワー（Ｐｗ２−Ｐｗ）とを同一とする（Ｐ３ＤＡＣ１３ａにより設定する）ものとしたが、以下のように各々独立に設定するようにしてもよい。
図４は、本発明の光情報記録装置の第２実施例である光源駆動装置の構成を示すブロック図であり、図１と共通する部分には同一符号を付してその説明を省略する。
図５は図４に示す光源駆動装置の各部信号の波形図の一例であり、第２実施例の光源駆動装置におけるこの発明に係る光情報記録方法を説明する図である。
【００３６】
図４において、付加電流生成部３０は、変調信号生成部４の生成する変調タイミング（変調信号Ｍｏｄ１，Ｍｏｄ２の立ち上がり／立ち下がりタイミングまたはその一部に対応する）に基づき、加熱パルスへの付加パワーを重畳するオーバーシュート電流Ｉｏｓ及び冷却パルスへの付加パワーを重畳するアンダーシュート電流Ｉｕｓ及び先頭パルスＴＰの前に付加パワーを重畳するプリヒート電流Ｉｐｈを生成する（以下、Ｉｏｓ，Ｉｕｓ及びＩｐｈを付加電流と総称する）。
【００３７】
より詳細には、変調信号生成部４の生成する変調タイミングに基づいてオーバーシュート電流Ｉｏｓ，アンダーシュート電流Ｉｕｓ及びプリヒート電流Ｉｐｈを重畳する期間を指定する付加信号（それぞれＭｏｄＯ，ＭｏｄＵ，ＭｏｄＰ）を生成する付加信号生成部３１と、オーバーシュート電流Ｉｏｓ，アンダーシュート電流Ｉｕｓ及びプリヒート電流Ｉｐｈのそれぞれの電流値Ｉ３，Ｉ４，Ｉ５を設定し、その設定データＰ３Ｄａｔａ，Ｐ４Ｄａｔａ，Ｐ５Ｄａｔａを供給する付加パワー設定部３２と、オーバーシュート電流設定データＰ３Ｄａｔａ，アンダーシュート電流設定データＰ４Ｄａｔａ又はプリヒート設定データＰ５Ｄａｔａに基づいて、それぞれ電流Ｉ３，Ｉ４，Ｉ５をそれぞれ供給する電流源Ｐ３ＤＡＣ１３ａ，Ｐ４ＤＡＣ１３ｂ，Ｐ５ＤＡＣ１３ｃと、付加信号ＭｏｄＯ，ＭｏｄＵ，ＭｏｄＰに従ってそれぞれ電流Ｉ３，Ｉ４，Ｉ５をオンオフ制御してオーバーシュート電流Ｉｏｓ，アンダーシュート電流Ｉｕｓ及びプリヒート電流Ｉｐｈを生成するスイッチ１４ａ，１４ｂ，１４ｃと、オーバーシュート電流Ｉｏｓ，アンダーシュート電流Ｉｕｓ及びプリヒート電流Ｉｐｈの付加時間を設定する付加時間設定部１５とから構成される。
【００３８】
また、加減算部３３は、ＬＤ変調電流Ｉｍｏｄとバイアス電流Ｉｂｉａｓとを加算し、さらにオーバーシュート電流Ｉｏｓ及びプリヒート電流Ｉｐｈを加算し、アンダーシュート電流Ｉｕｓを減算するものであり、その加減算した電流ＩＬＤ′を電流駆動部６へ供給する。
【００３９】
図５は、図４の各主要信号の信号波形の一例を示す図であり、図２と同様の動作をする信号についてはその説明を省略する。
同図の（ｃ）に示す光波形が所望の光波形であり、この光の照射により同図の（ｄ）に示す記録マークが形成される。
図２と同様にＰｂ，Ｐｅ，Ｐｗはそれぞれ、ボトムパワーレベル，イレースパワーレベル，ライトパワーレベルの各照射レベルであり、それぞれ電流ＩＬＤ′がＩｂｉａｓ＋Ｉ０，Ｉｂｉａｓ＋Ｉ０＋Ｉ１，Ｉｂｉａｓ＋Ｉ０＋Ｉ２になる照射レベルである。
また、同図の（ｃ）に示すＰｗ２はライトパワーレベルＰｗにパワー付加した照射レベルであり、パワー付加分（Ｐｗ２−Ｐｗ）はＩ３に相当する。
【００４０】
同様に、同図の（ｃ）に示すＰｂ２はボトムパワーレベルＰｂからＩ４に相当するパワー分を引いた照射レベルである。また、同図の（ｃ）に示すプリヒートパワーレベルＰｐはイレースパワーレベルＰｅにＩ５に相当するパワー分を付加した照射レベルである。
同図の（ｆ−１）に示す付加信号ＭｏｄＯは、付加信号生成部１１において、変調信号Ｍｏｄ１またはＭｏｄ２の立ち上がりに同期して付加時間設定部１５より指示されるオーバーシュート電流の付加時間（Ｔｏ１，Ｔｏ２，Ｔｏ３）だけ「ハイ（Ｈ）」となるように生成される。
【００４１】
同図の（ｆ−２）に示す付加信号ＭｏｄＵは、変調信号Ｍｏｄ２の立ち下がりに同期して付加時間設定部１５より指示されるアンダーシュート電流の付加時間（Ｔｕ１，Ｔｕ２，Ｔｕ３）だけ「ハイ（Ｈ）」となるように生成される。
同図の（ｆ−３）に示す付加信号ＭｏｄＰは、同図の（ｂ）に示す記録データＷｄａｔａの立ち上りを基準としてプリヒートパルス開始タイミングＴｏ０だけ前に立ち上りタイミングが設定され、上記基準よりＴＳＳだけ後に、すなわち先頭パルスＴＰの立ち上りタイミングで「ロー（Ｌ）」となる。
【００４２】
このようにすれば、プリヒート付加パワー（Ｐｐ−Ｐｅ）と加熱パルス付加パワー（Ｐｗ２−Ｐｗ）をそれぞれ独立に設定することができ、すなわち、記録媒体の特性に応じてそれぞれ最適な付加パワーを設定することができるので、より高精度に記録マークの形成を行うことができる。
また、記録媒体によっては、プリヒート付加パワーのみ加えるようにしても、正確な記録マーク形成ができる。
【００４３】
上述の各実施例では、相変化型記録媒体への光情報の記録時の場合を例示したが、上述したように多くの記録媒体では、記録媒体に加える熱量の制御、すなわち照射パワーの制御により記録マーク形成を制御できるので、本発明はこのような記録媒体にも上述と同様にして適用することができる。
【００４４】
このようにして、先頭パルスの立ち上り前の所定時間所定パワーのパルスを付加し、その付加したパルスの幅を調整するので、パルス幅分解能を向上させることなく、照射エネルギーの分解能を向上させることができ、精度よいマーク形成制御が可能となる。
特に、記録マークの前エッジ位置を高精度に制御が可能となる。これは、パルス幅分解能の向上が困難な高速記録時により好適に作用する。
【００４５】
また、先頭パルスの立ち上り前から立ち上り後までの所定時間、及びそのパルス列の残りのパルスの内０または少なくとも一部のパルスの立ち上り近傍後に所定時間，所定パワーの第一の付加パルスを付加し、そのパルス列の少なくとも一部のパルスの立ち下がり近傍後に所定パワーの第二の付加パルスを所定時間付加し、上記第一及び第二付加パルスの幅を調整するので、パルス幅分解能を向上させることなく、照射エネルギーの分解能を向上させることができ、かつ冷却速度もより高精度に制御可能となり、より精度よいマーク形成制御が可能となる。
【００４６】
さらに、パルス列の少なくとも一部のパルスの立ち上り近傍後に所定時間，所定パワーの第一の付加パルスを付加し、そのパルス列の少なくとも一部のパルスの立ち下がり近傍後に所定パワーの第二の付加パルスを所定時間付加し、そのパルス列の先頭パルスの立ち上り前の所定時間の間所定パワーの第三の付加パルスを付加し、上記第一，第二及び第三の付加パルスの幅を調整するので、第三の付加パルスパワー（プリヒート付加パワー）と第一の付加パルスパワー（加熱パルス付加パワー）をそれぞれ独立に設定することができ、すなわち記録媒体の特性に応じてそれぞれ最適な付加パワーを設定することができるので、より精度よいマーク形成制御が可能となる。
【００４７】
また、上記パルス列のうち、先頭パルスに付加するパルス幅と、最終パルスに付加するパルス幅と、それ以外の中間パルスに付加するパルス幅とをそれぞれ設定するので、記録マークの前縁部，中間部，後縁部の形状をそれぞれ精度よく形成でき、一様に精度よい記録マークが形成できる。
さらに、上記付加パルス幅を当該記録マークの前後の情報の長さに基づいて設定するので、パルス幅分解能を向上させることなく、隣接記録マークからの熱影響を考慮して照射エネルギーを調整することができ、より高精度な記録マークを形成することができる。
さらにまた、記録線速度に応じて上記付加パルス幅を設定するので、記録線速度の変化により畜熱効果が異なっても、最適な付加パルス幅を設定でき、より高精度な記録マークを形成することができる。
【産業上の利用可能性】
【００４８】
この発明による光情報記録装置と光情報記録方法は、記録媒体に光を照射してデータを記録する各種のドライブにおいても適用することができる。
【図面の簡単な説明】
【００４９】
【図１】本発明の光情報記録装置の第１実施例である光源駆動装置の構成を示すブロック図である。
【図２】図１に示す光源駆動装置の各部信号の波形図の一例である。
【図３】図２で説明した付加パワーを加算した過熱パルスと照射エネルギーの関係を示す波形図である。
【図４】本発明の光情報記録装置の第２実施例である光源駆動装置の構成を示すブロック図である。
【図５】図４に示す光源駆動装置の各部信号の波形図の一例である。
【符号の説明】
【００５０】
１：光源駆動部    ２：照射レベル設定部    ３：変調部    ４：変調信号生成部    ５，３３：加減算部    ６：電流駆動部    ７：ＬＤ制御部    ８，８ａ，８ｂ，８ｃ：電流源    ９，９ｂ，９ｃ，１４ａ，１４ｂ，１４ｃ：スイッチ    １０：加算部    １１，３１：付加信号生成部    １３ａ，１３ｂ，１３ｃ：電流源    １５：付加時間設定部    １６，３２：付加パワー設定部    １７：制御部    １８，３０：付加電流生成部    １９：コントローラ
【図１】
2005339661.tif 000003
【図２】
2005339661.tif 000004
【図３】
2005339661.tif 000005
【図４】
2005339661.tif 000006
【図５】
2005339661.tif 000007